(57)【特許請求の範囲】
【請求項１】
微細な記憶媒体を、接着性をもつ媒体とともに射出し、該媒体を介して該記憶媒体を物品に装着させることを特徴とする物品への記憶媒体の装着方法。
【請求項２】
前記記憶媒体に非接触で前記物品の識別情報を書き込んだ後に前記物品に装着させることを特徴とする請求項１記載の物品への記憶媒体の装着方法。
【発明の詳細な説明】
【０００１】
【発明の属する技術分野】
本発明は、物品に対して接着性をもつ媒体を介して微細な記憶媒体を装着させることにより、安価で容易に対象物を識別し管理する物品管理システムに適用して有効な技術に関するものである。
【０００２】
【従来の技術】
従来、コンピュータの電子部品や筐体、自動車の組立て部品やボディ素材、建築物の部材や外壁材などさまざまな物品が世の中に流通している。これらの物品を識別するために、物品に部品番号を書いたり、バーコードを印刷したり、ＩＣチップを樹脂などで封入したＩＣタグなどを装着したり、部品を識別する情報を印刷した袋に詰めたりして、これらの物品を管理している。
【０００３】
【発明が解決しようとする課題】
かかる従来の方法においてはつぎのような問題がある。すなわち部品番号を書いたり、バーコードを印刷したり、ＩＣタグを装着したりできるようなスペースがないほど微細であったり、表面に凹凸などがあったり、袋詰めのまま利用できないものであったり、識別情報を装着する位置が不特定であったり、ＩＣタグを装着するほどのコストに見合わない低価格のものであったりして、全ての物品に識別情報をつけることはできない場合がある。
【０００４】
本発明の目的は、上記問題を解決し、容易に安価に形ある物品に対して識別情報を付与する方法を提供することにある。
【０００６】
【課題を解決するための手段】
本発明は、微細な記憶媒体を、接着性をもつ媒体とともに射出し、この媒体を介してその記憶媒体を物品に装着させる物品への記憶媒体の装着方法を特徴とする。
【０００７】
本発明の技術を適用すれば、コンピュータや航空機などの部品に装着して、構成する部品の使用履歴を管理したり、自動車のボディ塗装の中にＩＣチップを封入して自動車自体の識別をできるようにして事故や不法廃棄などの追跡に利用したり、建造物の内壁に敷設した各種配管や配線に沿ってＩＣチップ入りの塗装でマーキングして建造後の各種配管や配線に関連するメンテナンスのために利用したり、様々な物品に所有者の電子的な識別をもたせたりと様々な利用効果が期待できる。
【０００８】
【発明の実施の形態】
以下に識別情報を記録した微細な記憶媒体を塗装剤に混入して物品に塗装することにより物品を識別可能とする実施形態の記憶媒体及びその装着方法について説明する。
【０００９】
図１は、識別対象の物品に微細なＩＣチップを装着するＩＣチップ装着装置１００の構成を示す図である。ＩＣチップ装着装置１００は、チップ蓄積部１０１、チップ分離部１０３、チップ載置部１０４、塗料蓄積部１０５、塗料射出部１０６、ＩＣチップライタ１０７及び制御装置１０８を有している。チップ蓄積部１０１は多数のＩＣチップ１０２を蓄積する容器である。チップ分離部１０３は各ＩＣチップ１０２を分離する機構である。チップ載置部１０４は１つのＩＣチップ１０２を位置決めする機構である。塗料蓄積部１０５は塗料１０９を格納する容器である。塗料射出部１０６は塗料１０９を射出する機構である。ＩＣチップライタ１０７は、チップ載置部１０４上のＩＣチップ１０２に識別情報等を書き込む機構である。制御装置１０８はＩＣチップライタ１０７の動作を制御する機構である。また識別対象１１０は、塗料１０９によってＩＣチップ１０２が装着される物品である。
【００１０】
ＩＣチップ装着装置１００のチップ蓄積部１０１に蓄積されているＩＣチップ１０２は、チップ分離部１０３へ送られ、チップ分離部１０３により１つずつ分離されて各ＩＣチップ１０２はチップ載置部１０４上で位置決められる。次に制御装置１０８の制御の下でＩＣチップライタ１０７がチップ載置部１０４上のＩＣチップ１０２へ識別対象１１０の識別情報等の情報が無線式に伝送されてそのＩＣチップ１０２に非接触で書き込まれる。次に塗料蓄積部１０５に蓄積されていた塗料が塗料射出部１０６によってスプレイ式に射出されてチップ載置部１０４上のＩＣチップ１０２を吹き飛ばして識別対象１１０上に塗料１０９によってＩＣチップ１０２を装着する。
【００１１】
なお上記実施形態ではＩＣチップ１０２を識別対象１１０に装着するための媒体として塗料を用いたが、塗料の代わりにボンドのような接着剤、防水のためのコーキング剤、印刷用のインクなど接着性をもつ媒体を用いてもよい。たとえばＩＣチップ装着装置１００をインクジェット方式の印刷装置相当の装置に構成してもよい。また必ずしも識別対象１１０に１個のＩＣチップ１０２を装着する必要はなく、塗装剤等の中に予め適当にＩＣチップ１０２を混入させておくなどして識別対象１１０に複数個のＩＣチップ１０２を装着しても構わない。またチップ載置部１０４上のＩＣチップ１０２を識別対象１１０に装着する前にＩＣチップライタ１０７によってＩＣチップ１０２内に情報を書き込んでいるが、ＩＣチップ１０２の製造工程として情報を書き込んでおいてもよいし、識別対象１１０にＩＣチップ１０２を装着した後に情報を書き込んでもよい。
【００１２】
図２は、本実施形態の物品管理システムの全体構成を示す図である。図２に示すように本実施形態の識別対象１１０には、塗料１０９により封入した識別情報をもつＩＣチップ１０２を装着しており、この識別情報を物品管理端末２０１に接続したＩＣリーダ装置２０２で読込み、ネットワーク２０３を介してこの識別情報を物品管理サーバ２０４へ送り、物品管理サーバ２０４側で識別対象１１０の属性情報などとマッチングさせるなどして物品管理を行う。
【００１３】
図３は、本実施形態の記憶媒体であるＩＣチップ１０２の概略の内部構成を示す図である。図３に示すようにＩＣチップ１０２は、通信アンテナ３０１と、電磁誘導起電装置３０２と、電力蓄積装置３０３と、制御装置３０４と、記憶装置３０５とを有している。
【００１４】
通信アンテナ３０１は、ＩＣチップ１０２とＩＣリーダ装置２０２との間で情報を送受信したり、ＩＣチップ１０２を駆動する電源となる電力供給のための電磁波をＩＣリーダ装置２０２から受けたりする装置である。電磁誘導起電装置３０２は、通信アンテナ３０１で受けた電磁波を電磁誘導により電力に変換する装置である。電力蓄積装置３０３は、電磁誘導起電装置３０２で起電した電力を蓄積して、ＩＣチップ１０２を駆動するための電源とする装置である。
【００１５】
制御装置３０４は、ＩＣチップ１０２全体の動作を制御する装置である。記憶装置３０５は、ＩＣチップ１０３全体の動作を制御する際にそのための各種処理プログラムや識別情報等のデータを格納する装置である。
【００１６】
図４は、本実施形態のＩＣリーダ装置２０２及び物品管理端末２０１の概略構成を示す図である。図４に示すようにＩＣリーダ装置２０２は、ＩＣチップ１０２の記憶装置３０５に格納している情報を読み取る装置であり、通信アンテナ４０１と、電力供給装置４０２とを有する。
【００１７】
通信アンテナ４０１は、ＩＣチップ１０２の通信アンテナ３０１と情報の送受信をしたり、ＩＣチップ１０２の電力となる電磁波を送信したりする装置である。電力供給装置４０２は、物品管理端末２０１の電源装置４１７から電力を取得して電磁波に変換し、通信アンテナ４０１と３０１を介してＩＣチップ１０２の電磁誘導起電装置３０２へ送出する装置である。
【００１８】
物品管理端末２０１は、制御装置４１０と、メモリ４１１と、磁気ディスク装置４１２と、キーボード４１３と、ディスプレイ装置４１４と、ＣＤ−ＲＯＭ装置４１５と、Ｉ／Ｏ制御装置４１６と、電源装置４１７と、通信装置４１８とを有する。
【００１９】
制御装置４１０は、物品管理端末２０１全体の動作を制御する装置である。メモリ４１１は、物品管理端末２０１全体の動作を制御する際にそのための各種処理プログラムやデータを格納する装置である。
【００２０】
磁気ディスク装置４１２は、各種処理プログラムやデータを格納しておく記憶装置である。キーボード４１３は、ＩＣチップ１０２に対して識別情報を読込むための各種入力操作を行う装置である。
【００２１】
ディスプレイ装置４１４は、ＩＣチップ１０２の識別情報の読取り処理に伴なう各種表示を行う装置である。ＣＤ−ＲＯＭ装置４１５は、各種処理プログラムを記録したＣＤ−ＲＯＭの内容を読み出す装置である。
【００２２】
Ｉ／Ｏ制御装置４１６は、物品管理端末２０１よりＩＣリーダ装置２０２の動作を制御する装置である。電源装置４１７は、物品管理端末２０１よりＩＣリーダ装置２０２に電力を供給する装置である。
【００２３】
通信装置４１８は、物品管理端末２０１がネットワーク２０３を介して物品管理サーバ２０４とデータの送受信をする際に通信の制御をする装置である。
【００２４】
なおＩＣリーダ装置２０２の代わりに物品管理端末２０１にＩＣリーダ／ライタ装置を接続し、物品管理端末２０１によって識別対象１１０に装着されたＩＣチップ１０２に非接触で電力を供給するとともに識別情報等の情報を書き込んでもよい。
【００２５】
図５は、本実施形態の物品管理サーバ２０４の概略構成を示す図である。図５に示すように物品管理サーバ２０４は、制御装置５０１と、メモリ５０２と、磁気ディスク装置５０３と、キーボード５０４と、ディスプレイ装置５０５と、ＣＤ−ＲＯＭ装置５０６と、通信装置５０７とを有する。
【００２６】
制御装置５０１は、物品管理サーバ２０４全体の動作を制御する装置である。メモリ５０２は、物品管理サーバ２０４全体の動作を制御する際にそのための各種処理プログラムやデータをロードする装置である。
【００２７】
磁気ディスク装置５０３は、各種処理プログラムやデータを格納しておく記憶装置である。キーボード５０４は、物品管理端末２０１に対して識別情報などの物品管理情報を送受信するための各種入力操作を行う装置である。
【００２８】
ディスプレイ装置５０５は、ＩＣチップ１０２の識別情報の管理に伴なう各種表示を行う装置である。ＣＤ−ＲＯＭ装置５０６は、各種処理プログラムを記録したＣＤ−ＲＯＭの内容を読み出す装置である。
【００２９】
通信装置５０７は、物品管理サーバ２０４がネットワーク２０２を介して物品管理端末２０１とデータの送受信をする際に通信の制御をする装置である。
【００３０】
上記のように本実施形態では、物品管理システムとしてクライアント側である物品管理端末２０１にＩＣチップ１０２との識別情報を読取るＩＣリーダ装置２０２を接続し、ネットワーク２０３を介してサーバ側である物品管理サーバ２０４と識別対象１１０の識別情報をやり取りして物品管理を実現する形態を示したが、物品管理用の携帯端末などを用いたスタンドアロンの構成であったり、物品管理システム側より識別対象１１０に装着したＩＣチップ１０２に識別情報を書き込んで物品管理を実現する形態としても構わない。
【００３１】
以上説明したように本実施形態の記憶媒体の装着方法を用いて物品を識別し情報管理すれば、不定形で微細な物品の場合であっても容易かつ安価に物品管理を実現することが可能である。
【００３２】
【発明の効果】
本発明によれば、不定形であったり微細であったりする物品に対して容易かつ安価に記憶媒体を装着して、物品を識別し管理することが可能である。
【図面の簡単な説明】
【図１】実施形態のＩＣチップ装着装置の構成を示す図である。
【図２】実施形態の物品管理システムの構成を示す図である。
【図３】実施形態のＩＣチップの概略構成を示す図である。
【図４】実施形態のＩＣリーダ装置と物品管理端末の概略構成を示す図である。
【図５】実施形態の物品管理サーバの概略構成を示す図である。
【符号の説明】
１００…ＩＣチップ装着装置、１０２…ＩＣチップ、１０９…塗料、１１０…識別対象、２０１…物品管理端末、２０２…ＩＣリーダ装置
【図１】
0004527834.tif 000002
【図２】
0004527834.tif 000003
【図３】
0004527834.tif 000004
【図４】
0004527834.tif 000005
【図５】
0004527834.tif 000006